(57)【特許請求の範囲】
【請求項１】
長手方向に複数の上ピン孔を有するとともに該上ピン孔にはバネにより内筒方向に付勢された上ピンを有する外筒と、該外筒に回動自在に嵌挿されるとともに、キー穴を貫通し前記外筒の複数の上ピン孔と対向する複数の下ピン孔を有するとともに該下ピン孔には下ピンを有する内筒と、前記外筒の上ピン孔から一定角度の回動位置であって内筒の下ピン孔と対向する位置に設けた複数の補助ポケットと、前記補助ポケットの全てあるいは任意の箇所に、バネにより内筒方向に付勢された補助上ピンと補助ピンとを設けると共に、該補助ピンを前記下ピンに係合させる係合機構とを備えてなる、施解錠用のキーを変更することが可能なシリンダー錠であって、
前記係合機構により下ピンに係合した補助ピンは、内筒の下ピン孔が補助ポケットに対向する内筒の回動位置（リセット状態位置）においては、補助ポケットの長さを補助ピンが移動可能な長さに設けることによりキーによる内筒の回動操作で前記係合機構の作用により下ピンとの係合が解除できるようにしてあるとともに、内筒の下ピン孔が上ピン孔に対向する内筒の回動位置（セット状態位置）においては、上ピン孔の長さを補助ピンが移動不可能な長さに設けてあることにより、合鍵と異なるキーによる内筒の回動操作では補助ピンは下ピンとの係合が解除できないように構成してあることを特徴とするシリンダー錠。
【請求項２】
外筒に形成した上ピン孔群は外筒の円周方向に間隔をおいて第１、第２、第３の３列設けるとともに、内筒には前記上ピン孔群に対向して第１、第２、第３の３列の下ピン孔群を設け、
前記外筒には、第１の上ピン孔群と第２の上ピン孔群と第３の上ピン孔群のそれぞれの位置を基準として、キー穴にキーを挿入して内筒を時計方向に一定角度α回動した場合に、内筒の第１、第２、第３の下ピン孔群のそれぞれに対向する位置に、第１、第２、第３の３列の補助ポケット群を設けてなることを特徴とする請求項１に記載のシリンダー錠。
【請求項３】
前記長手方向に複数の上ピン孔を設けた上ピン孔群は、外筒の複数個所に設けてなり、それぞれの上ピン孔群を形成した位置を基準として、前記一定角度の回動位置に複数の補助ポケットからなる補助ポケット群をそれぞれ設ける一方、
キーによる内筒の回動により、クラッチ機構を介して常に連係状態にある錠のハブを連動して回動し、錠の施錠部材を作動して施錠、解錠するように設けると共に、
リセットキーにより前記クラッチ機構の連係状態を解除して非連係状態とすることにより、錠のハブとは無関係に内筒が３６０°回動可能に構成してなることを特徴とする請求項１または２に記載のシリンダー錠。
【発明の詳細な説明】
【技術分野】
【０００１】
本発明は、外筒内の上ピンと内筒内の下ピンとの間に、補助ピンを適宜に介在させることによって、キーチェンジを可能としたシリンダー錠に関する。
【背景技術】
【０００２】
一般にキーチェンジシステムを採用したシリンダー錠では、住宅や賃貸マンション、集合住宅あるいはホテル等において、居住者がキーを紛失したり、居住者が替わった場合に、錠やシリンダー錠自体を新たに交換することなく、一旦、シリンダー錠をリセット状態として新たなキーを使用可能な状態にセットすることで、その新たなキーで解錠可能となり、先に使用していたキーが使用不能にできるものが知られている。
【０００３】
このようなキーチェンジシステムのシリンダー錠は、今までのように、キーを変更（チェンジ）しようとすると、シリンダー錠を専門業者に依頼して新しいものに変更する場合に比べて、納期やコストの観点からも非常に効率の良いものであった。特に、入居者が替わる度に、防犯上の問題からキーを変更する必要のあった賃貸住宅のオーナにとっては、錠やシリンダー錠を交換しないでシリンダー錠のキー操作のみで新たなキーに変更できるキーチェンジシステムの利便性は高かった。また、ホテルなどでは、宿泊するお客が替わる度にキーを変更することによって、防犯性を高められる。
ところで、従来のキーチェンジシステムのシリンダー錠は、構造が複雑なうえ極めて高価なものとなり、誤作動も多く、実用不可能なものであった。また鍵違いが多く設定できないという欠点もあった。
【０００４】
従来、例えば、特許文献１（特公昭５８−４４８３２号）のシリンダー錠が知られている。この特許文献１には、外筒内の上ピンと内筒内の下ピンとの間に補助ピンを適宜に介在させる例として、２つの実施例（従来例）が記載されている。図１４〜図１８に示すのが第１の従来例、図１９に示すのが第２の従来例である。
（第１の従来例）  図１４乃至図１８に基づいて、以下に第１の従来例を説明する。図１４乃至図１７は、第１のキーから新たな第２のキーを合鍵として設定するまでの動作を示す断面図で、図１８は図１５の一部拡大図である。図において、１０１は外筒、１０２は内筒である。該内筒１０２は外筒１０１に対してシャーラインＳＬで回動可能としている。１０３はキー穴である。１０４は前記外筒１０１に設けた外筒１０１の上ピン孔であり、１０５は内筒１０２の下ピン孔である。上下一対の連通するピン孔１０４と１０５は、複数（本例では６ヶ所）形成されている。このピン孔１０４と１０５に上ピン１０６と下ピン１０７が夫々収容され、また、適宜箇所には、上ピン１０６と下ピン１０７との間に補助ピン１０８が介在してある。前記上ピン１０６は天井部からバネ１０９により付勢保持されている。一方、下ピン１０７は内筒の下ピン孔１０５内に摺動可能に嵌装されている。なお、下ピン１０７の上端面１０７Ａに嵌合凹部１０７Ｂを形成している。
【０００５】
補助ピン１０８は、図１８に拡大したものを示すが、筒体１０８Ａと該筒体１０８Ａに嵌まり込む作用ピン１０８Ｂとからなり、この作用ピン１０８Ｂは、鉄などの強磁性体で形成し、後述する補助上ピンの磁石に吸着されるようにしている。
【０００６】
作用ピン１０８Ｂは、軸部１０８Ｂ１と頭部１０８Ｂ２とからなり、頭部１０８Ｂ２には円錐台形状にテーパーが形成されている。
【０００７】
一方、前記筒体１０８Ａは、作用ピン１０８Ｂの軸部１０８Ｂ１が貫通する孔１０８Ａ１と前記作用ピン１０８Ｂの頭部１０８Ｂ２を収納する収納凹部１０８Ａ２とからなる。そして、作用ピン１０８Ｂを筒体１０８Ａに収納した状態では、作用ピン１０８Ｂの頭部１０８Ｂ２の上端面と筒体１０８Ａの上端面が同一平面に揃うように形成する一方、この収納状態では、作用ピン１０８Ｂの軸部１０８Ｂ１の一端が筒体１０８Ａの下方へ突出し、この突出した軸部１０８Ｂ１の一端は前記下ピン１０７の嵌合凹部１０７Ｂに嵌合し、下ピン１０７と補助ピン１０８とが一体的に連結される。
【０００８】
また、前記外筒１０１には、上ピン孔１０４のほかに、該上ピン孔１０４の位置から外筒１０１の軸心周りに９０度回転した位置に補助ポケット１１１が設けてある。この補助ポケット１１１には、補助上ピン１１２が収納されバネ１１３で付勢されている。この補助上ピン１１２は、磁石１１２Ａと、この磁石１１２Ａを収容する本体１１２Ｂからなり、該本体１１２Ｂは開放端内壁側を前記作用ピン１０８Ｂの円錐台状頭部１０８Ｂ２のテーパーに対応したすり鉢状のテーパ面をなしている。磁石１１２Ａは本体１１２Ｂに対して多少奥まった所に配置され、前記作用ピン１０８Ｂをこの磁石１１２Ａが吸着したとき、作用ピン１０８Ｂの頭部１０８Ｂ２の一部が前記本体１１２Ｂ内に収納されるようにしてある。このように外筒１０１には、上ピン孔１０４に対向させて補助ポケット１１１が形成されており、従って前記内筒１０２の下ピン孔１０５と対向して連通し得ると共に、対となる補助ポケット１１１とも連通し得る。そして、補助ピン１０８は内筒１０２の下ピン孔１０５側に位置されるか、或いは補助ポケット１１１内に保留されるかの何れかの状態を取りうるようになっている。
【０００９】
今、図１４に示すように、第１のキー１１０をキー穴１０３に挿入すると、第１のキー１１０の上の鍵山１１０Ａは下ピン１０７を押し上げて、該下ピン１０７と上ピン１０６との境界線ＥをシャーラインＳＬに一致させ、一方、第１のキー１１０の下の鍵山１１０Ｂは、下ピン１０７を押し下げて、該下ピン１０７に連結する補助ピン１０８と上ピン１０６との境界線Ｆ´をシャーラインＳＬに一致させる。他の位置のピン孔においても境界線Ｅ又はＦ´がシャーラインＳＬと一致するように第１のキー１１０の鍵山が設定されているので、内筒１０２は回動する。（なお、この状態（キー１１０にセットされた状態）で他の異なるキー１２０を挿入した場合、鍵山の高さが異なるので、上ピン１０６または補助ピン１０８がシャーラインＳＬを跨ぐので内筒は回動しない。）
そして、第１のキー１１０を図１４において９０度右に回動させると、図１５の如く、下ピン孔１０５，１０５は図面上、左右の補助ポケット１１１，１１１に対応し、内筒１０２と共に回動した補助ピン１０８が補助上ピン１１２の磁石１１２Ａに吸着される。したがって、作用ピン１０８Ｂの頭部１０８Ｂ２の一端が補助ピン１１２の本体１１２Ｂ内に嵌合するとともに、作用ピン１０８Ｂの軸部１０８Ｂ１が下ピン１０７の嵌合凹部１０７Ｂから脱出し、その結合を解除する。
【００１０】
次に、この状態(リセット状態）で第１のキーを抜いて、他の任意の合鍵である第２のキー１２０を差し込むと図１６のようになる。
すなわち、第２のキー１２０は、第１のキー１１０の上の鍵山１１０Ａに対して回転中心から上の鍵山１２０Ａまでの寸法が前記補助ピン１０８の筒体１０８Ａの寸法だけ短く、また、第２のキー１２０の下の鍵山１２０Ｂまでの寸法は、第１のキー１１０の下の鍵山１１０Ｂまでの寸法よりも筒体１０８Ａの寸法だけ長い。したがって、図１６に示すように、左側の補助ポケット１１１には補助ピン１０８が下ピン１０７との係合を解かれた状態で補助ポケット１１１へ押し入り、補助ピン１０８と下ピン１０７との境界線ＧがシャーラインＳＬと一致する。また、図の右側の補助ポケット１１１では、補助ピン１０８が補助ポケット１１１から内筒１０２側へ押し出され、磁石１１２Ａに吸着された作用ピン１０８Ｂの頭部１０８Ｂ２の一端が補助上ピン１１２の本体１１２Ｂに侵入した状態となる。
この状態では、頭部１０８Ｂ２がシャーラインＳＬを跨いだ状態となるので内筒の回動は阻止された状態となるが、第２のキー１２０により内筒に回動力を与えると、作用ピン１０８Ｂの頭部のテーパーの作用により、作用ピン１０８Ｂが本体１１２Ｂの磁石１１２Ａより離反し、下ピン１０７に係合し補助ピン１０８と下ピン１０７との境界線ＧがシャーラインＳＬと完全に一致し、回動可能となる。そして第２のキー１２０を９０度元の位置まで回動復帰させると図１７に示す如くなる。図１７と図１４を対比すれば明らかなように、補助ピン１０８は各々対応する下ピン孔１０５と補助ポケット１１１において位置を変換されている。すなわち、図１７では、解錠条件が変更されて、第２のキー１２０が合鍵として設定されたのである。
【００１１】
（第２の従来例）  図１９に基づいて、第２の従来例を説明する。前述した第１の従来例において、第１のキー１１０から第２のキー１２０に合鍵を変更する場合、補助ピン１０８は内筒１０２の下ピン孔１０５側に位置されるか或いは補助ポケット１１１内に保留されるかの何れかの状態を取りうるようにして合鍵を変更することは同様であるが、第１の従来例では、補助ピン１０８を補助ポケット１１１内に保留するために磁石１１２Ａの磁力を利用し、磁石に吸着された補助ピンを内筒側に移動させるには、補助ピンに設けた中間ピンの頭部のテーパーと、補助上ピンの凹部のテーパーとの作用により行っていたのに対して、この第２の従来例では磁石１１２Ａを利用していないことと、中間ピンを設けない点で相違し、他の構成は同様のものとなっており、同一の構成は第１の従来例と同じ符号を付して説明を省略している。
【００１２】
この相違を理解するために、図１８と図１９とを対比しつつ説明する。図から明らかなように、第１の従来例の補助ポケット１１１の形状と、第２の従来例の外筒１０１の補助ポケット１１１´の形状が相違し、補助ピン１０８，１０８´、補助上ピン１１２，１１２´の形状がそれぞれ相違する。
【００１３】
補助ピン１０８´は、下ピン１０７の嵌合凹部１０７Ｂに嵌合する小径突部１０８Ａ´と、大径部１０８Ｂ´、および前記小径突部１０８Ａ´との間に連続して形成されるテーパー部１０８Ｃ´とからなる。
【００１４】
補助ポケット１１１´は、段付穴状に形成される。すなわち、補助ポケット１１１´は、シャーラインＳＬから少し奥まったところまでを前記内筒の下ピン孔１０５と同じ径の小径穴部１１１Ａ´とし、そこで拡大段部１１１Ｂ´を形成して、その奥を拡径穴部１１１Ｃ´としている。
【００１５】
また、補助上ピン１１２´は、小径突部１１２Ａ´を有する段付ピン状に形成しており、補助上ピン１１２´の小径突部１１２Ａ´はその径を前記補助ポケット１１１´の小径穴部１１１Ａ´に挿通する大きさとし、長さは補助ポケット１１１´の小径穴部１１１Ａ´の長さと略等しく設けてある。
【００１６】
そして、解錠条件を変更する場合、第１の解錠条件として、補助ピン１０８´を内筒１０２の下ピン孔１０５内に収納することにより、補助ピン１０８´の大径部１０８Ｂ´の後端部１０８Ｂ１´と補助上ピン１１２´との間（境界線Ｆ´）をシャーラインＳＬと一致させる態様と、第２の解錠条件としては、図１９の如く補助ピン１０８´のテーパー部１０８Ｃ´の部位がシャーラインＳＬと一致するようにし、キーの（大きな）回動力により、テーパー部１０８Ｃ´の作用により補助ピン１０８´を補助上ピン１１２´側へ押しやり、補助ピン１０８´と下ピン１０７との係合を解除して、下ピンと補助ピンとの間（境界線Ｇ´）をシャーラインＳＬに完全に一致させる態様をとることができる。
【先行技術文献】
【特許文献】
【００１７】
【特許文献１】特公昭５８−４４８３２号
【発明の概要】
【発明が解決しようとする課題】
【００１８】
上記第１の従来例では、補助ポケットの孔は下ピン孔や上ピン孔と同じ径の穴に形成できる利点はあるが、補助ピン１０８は、筒体１０８Ａと該筒体１０８Ａに嵌まり込む作用ピン１０８Ｂとの２部材からなり、また、補助上ピン１１２には磁石１１２Ａを設けて、作用ピン１０８Ｂを強磁性体で形成し、その頭部１０８Ｂ２を磁石１１２Ａで吸着されるようにしてあるので、補助ピンや補助上ピンの構造が極めて複雑であると共に、高価な磁石１１２Ａを使用すること等から製作が困難であり、極めて高価なシリンダー錠となる。しかも、磁石１１２Ａを使用しているため、外筒１０１の上ピン孔１０４や上ピン１０６等に鉄粉等からなるホコリが吸着され易く、このホコリが作動不良や誤作動の原因となり、シリンダー錠の信頼性や耐久性の低下にもつながり、実用には不向きであった。
【００１９】
また、第２の従来例では、補助ピンや補助上ピンの構造を第１の従来例に比べて簡単な構造のものとしたが、補助上ピン１１２´は段付きの特殊な形状であり、また、該補助上ピン１１２´を収納する補助ポケット１１１´のピン孔の径を補助ピン１０８´及び下ピン１０５の径に比べて大きく段付きの特殊な孔にする必要があった。この点は、シリンダー錠の製作上、極めて大きな問題であった。なぜなら、従来からシリンダー錠の内筒と外筒には同じドリルを用いて同じ径のピン孔を加工するのが、作業効率や生産効率上から好ましく、通例であった。これに反し、第２の従来例の補助ポケット１１１´の孔の加工には特殊な工具を別途用意する必要があると共に、その加工は極めて面倒であった。また、下ピン、上ピン、補助ピン等のピンは、全て同じ材料（同径の線材）から加工するのが、最も経済的で望ましいが、前記補助上ピンは別な大径の線材から加工しなければならない。
従って、シリンダー錠自体が極めて高価なものとなった。しかも、前記第２の態様に示すように、補助ピン１０８´のテーパー部１０８Ｃ´の部位でシャーラインＳＬと一致する解錠条件となっている場合、合鍵であるキー１１０をキー穴１０３に差し込んで内筒１０２を回そうとしてトルクをかけると、補助ピン１０８´と補助ポケット１１１´の周壁との間に隙間Ｈが生じていたため、補助ピン１０８´のテーパー部１０８Ｃ´の作用によって補助ピン１０８´が大きく傾き、補助ピン１０８´が補助ポケット１１１´内で転覆する虞れもあり、誤作動が起き易く、耐久性にも問題があった。
結局、第２の従来例も実用には不向きであった。
【００２０】
さらに、上記各従来例は、ピン群が１列６コラムで、２列の１２コラムで構成しているので、鍵違いは２１２＝４，０９６通りしかできなかった。仮に、１列８コラムで、２列の１６コラムにしても、鍵違いは最大で２１６＝６５，５３６通りしかできず、この従来例では、鍵違い数が少ないという難点があった。
【００２１】
本発明の目的は、上記従来例の有する問題を全て解消すると共に、実用に供し得る新規なシリンダー錠を提供することを目的としている。
【課題を解決するための手段】
【００２２】
本発明では、シリンダー錠の外筒の長手方向に複数設けられた上ピンと、それぞれの上ピンと対応する位置に設けられた内筒の下ピンと、上ピンに対して一定角度の回動位置の外筒に補助ピンを夫々に収容した補助ポケットを設けてなり、
前記補助ポケットの全てあるいは任意の箇所に補助上ピンと補助ピンを収容し、且つ、補助ポケットが内筒に形成された下ピン孔と対向するリセット状態でセットするキーを挿入して、前記一定角度だけ戻して回動させてセット状態とし、キーをキー穴から抜き取ることによって、当該キーを合鍵として操作可能な状態にセットでき、更に新たなキーにセットする場合は、現在使用しているキーでリセット状態まで回動してキーを抜き、この状態で新たなキーを挿入して元のセット状態まで戻してキーを抜くことにより、新たなキーを合鍵としてセットできるシリンダー錠であって、後述する如く、請求項１〜３の構成を特徴とするシリンダー錠を提供する。  
【００２３】
本発明の請求項１のシリンダー錠は、長手方向に複数の上ピン孔を有するとともに該上ピン孔にはバネにより内筒方向に付勢された上ピンを有する外筒と、該外筒に回動自在に嵌挿されるとともに、キー穴を貫通し前記外筒の複数の上ピン孔と対向する複数の下ピン孔を有するとともに該下ピン孔には下ピンを有する内筒と、前記外筒の上ピン孔から一定角度の回動位置であって内筒の下ピン孔と対向する位置に設けた複数の補助ポケットと、前記補助ポケットの全てあるいは任意の箇所に、バネにより内筒方向に付勢された補助上ピンと補助ピンとを設けると共に、該補助ピンを前記下ピンに係合させる係合機構とを備えてなる、施解錠用のキーを変更することが可能なシリンダー錠であって、
前記係合機構により下ピンに係合した補助ピンは、内筒の下ピン孔が補助ポケットに対向する内筒の回動位置（リセット状態位置）においては、補助ポケットの長さを補助ピンが移動可能な長さに設けることによりキーによる内筒の回動操作で前記係合機構の作用により補助ピンと下ピンとの係合が解除できるようにしてあるとともに、内筒の下ピン孔が上ピン孔に対向する内筒の回動位置（セット状態位置）においては、上ピン孔の長さを補助ピンが移動不可能な長さに設けてあることにより合鍵と異なるキーによる内筒の回動操作では補助ピンは下ピンとの係合が解除できないように構成してあることを特徴とする。
【００２４】
（作用）以上のような請求項１の発明によれば、合鍵として使用しているキーにより内筒を一定角度回動して、下ピン孔と補助ポケットとを対向した状態（リセット状態）で、キー穴に新たに合鍵として設定するキーを挿入して回動すると、キーの表面の谷部と山部（鍵山）の変化に連動して、上ピンと内筒の下ピン孔に挿入された下ピンとの間に、補助ピンが介在したり、介在しない状態となる。そして、一定角度だけ逆方向に回動して（元に戻して）抜き取ると、前記キーが新たな合鍵としてセットされる。  
【００２５】
すなわち、前記キーの表面には高低の異なる山部と谷部を形成してなり、山部と対向する補助ピンは、補助ポケットに残された状態となり、谷部と対向する補助ピンは内筒側の下ピン孔に移動することによって、該キーの合鍵としてのセットが完了となる。
【００２６】
新たなキーにセットされた状態では、前のキーは使えなくなる。前のキーが使えないのは、新たなキーの高低の異なる山部と谷部の位置が異なるためで、前のキーをキー穴に挿入して回そうとしても、前のキーに比べて山部の低い箇所では、補助ピンが内筒側にないので、上ピンが内筒側に落ちてシャーラインを跨ぐので、キーを回すことができない。また、前のキーに比べて山部が高い箇所では、外筒の上ピン孔の深さ（長さ）を浅く（短かく）設けてあるので、補助ピンの凸部のテーパーの作用により、補助ピンが外筒の上ピン孔に移動しようとしても、上ピンが天井に当接しているので補助ピンは移動できず、即ち、下ピンと補助ピンとの係合は解除できず、下ピンと補助ピンとの境界をシャーラインと一致させることができないので、キーを回すことができない。
【００２７】
請求項２のシリンダー錠は、外筒に形成した上ピン孔群は外筒の円周方向に間隔をおいて第１、第２、第３の３列設けるとともに、内筒には前記上ピン孔群に対向して第１、第２、第３の３列の下ピン孔群を設け、
前記外筒には、第１の上ピン孔群と第２の上ピン孔群と第３の上ピン孔群のそれぞれの位置を基準として、キー穴にキーを挿入して内筒を時計方向に一定角度α回動した場合に、内筒の第１、第２、第３の下ピン孔群のそれぞれに対向する位置に、第１、第２、第３の３列の補助ポケット群を設けてなることを特徴とする。
【００２８】
これによれば、合鍵としてセットできるキーの数（鍵違いの数）は、前記補助ピンを収容する補助ポケットの数をＮとし、全ての補助ポケットに補助ピンを設けると２のＮ乗となる。したがって、後述する実施の形態で例示するように補助ポケット群を３列設け、個々の補助ポケット群に８個の補助ポケットを設け、全ての補助ポケットに補助ピンを設けるようにした場合には、２２４（１６，７７７，２１６）通りのキーが異なる合鍵として設定可能となる。
【００２９】
請求項３のシリンダー錠は、前記長手方向に複数の上ピン孔を設けた上ピン孔群は、外筒の複数個所に設けてなり、それぞれの上ピン孔群を形成した位置を基準として、前記一定角度の回動位置に複数の補助ポケットからなる補助ポケット群をそれぞれ設ける一方、  キーによる内筒の回動により、クラッチ機構を介して常に連係状態にある錠のハブを連動して回動し、錠の施錠部材を作動して施錠、解錠するように設けると共に、
リセットキーにより前記クラッチ機構の連係状態を解除して非連係状態とすることにより、錠のハブとは無関係に内筒が３６０°回動可能に構成してなることを特徴とする。
【００３０】
このクラッチ機構により、内筒とハブとは常に連係状態に保たれており、通常、住人が使用するキー（合鍵）ではその連係状態を解除できず、ハブの回動角度は規制されていることによりリセット状態の位置まで回動できないようにしてある。そして、新たなキーを合鍵として設定するためには、前記一定角度の回動位置まで回動操作を行うための専用のリセットキーを設け、その先端部の形状をクラッチ機構の可動部に作用する形状として、これを作用させることによって、ハブの回動を内筒の回動と連係しない非連係の状態とし、一定角度の回動位置のリセット状態の位置まで内筒を回動できるようにすることで、専用のリセットキーによってのみ新たなキーをセットしたりリセット状態としたりすることができるようにしてある。
【発明の効果】
【００３１】
請求項１の発明によれば、従来例の如く高価な磁石を使用することもなく、補助ピンや補助上ピンの構造や補助ピンとの係合および係合解除機構が簡単で全体として安価であり、作動も確実で実用に適したシリンダー錠を提供できる。
しかも、第１の従来例の如く磁石の使用による、鉄粉やホコリに基因する作動不良や誤動作が起きることもなく、耐久性にも優れたシリンダ−錠を提供できる。  
【００３２】
また、請求項１の発明によれば、第２の従来例の場合と異なり、補助ピンを収納する補助ポケットの穴径は、上ピン孔の径と同じであり、加工が極めて容易であると共に、キーチェンジする時に補助ピンにトルクが作用しても、補助ピンが傾いたり、転覆する恐れもなく安定した作動が得られるので、誤動作がなく確実にキーチェンジすることができる。
【００３３】
しかも、リセット状態にあるシリンダー錠に対して、新たにセットするキーを挿入して、一定角度αだけ回してキーを抜き取るだけで新しいキーを合鍵としてセットすることができる。なお、一つの補助ポケットに対して、補助ピンを補助ポケット内に残す態様と、補助ピンを下ピン孔側に移動させて、補助ピンを下ピンと上ピンとの間に介在させる態様との２つの態様を補助ポケットごとにとることができるため、補助ポケットを増やすごとに、より多数の鍵違いのキーを合鍵として設定することが可能となる。
【００３４】
さらに、第１のキーを合鍵としてセットしたセット状態から、新たな第２のキーを合鍵としてセットした後、再度元の第１のキーを合鍵としてセットすることもできるので、シリンダー錠の合鍵として交換できる数は減ることなく常に一定のものとなるので、キーチェンジ可能なシリンダー錠としての機能の低下がない。
【００３５】
請求項２の発明によれば、上ピン孔群とこれに対向する下ピン孔群とをそれぞれ３列設けると共に、外筒の上ピン孔群から一定角度α回動した位置には３列の補助ポケット群を設けているから、例えば、本実施例において補助ポケットを、上、右、左、の３列に各８ヶ所、合計２４ヶ所設けて全ての補助ポケットに補助ピンを設けるようにした場合には、２２４（１６，２７７，２１６）通りのキーが異なる合鍵として設定でき、莫大な鍵違い数が実現できる。
【００３６】
請求項３の発明によれば、クラッチ機構を設けることによって、住人が使用するキー（合鍵）ではリセットされることがないので、誤ってリセットされる恐れがない。そして、管理人が所有するリセットキーによってのみ、錠が扉に取り付いた状態のままで錠の施錠部材を作動させることなく、リセット状態にすることができ、新しいキーにキーチェンジすることができる。
【図面の簡単な説明】
【００３７】
【図１】本発明の実施例１のシリンダー錠の正面図で、（Ａ）は内筒のキー穴が垂直状態である通常のセット状態の正面図、（Ｂ）は上記のセット状態からキーで内筒を時計方向に一定角度α（本実施例では約１５５度）だけ回動したリセット状態の正面図である。
【図２−１】（Ａ−１）は図１の（Ｂ）のＡ−Ａ´断面図で、（Ａ−２）は（Ａ−１）のＸ−Ｘ´断面図である。
【図２−２】（Ｂ−１）は図１の（Ｂ）のＢ−Ｂ´断面図で、（Ｂ−２）は（Ｂ−１）のＹ−Ｙ´断面図である。
【図２−３】（Ｃ−１）は図１の（Ｂ）のＣ−Ｃ´断面図で、（Ｃ−２）は（Ｃ−１）のＺ−Ｚ´断面図である。
【図３】（Ａ）は図１の（Ｂ）のリセット状態で、キー穴に、キーＫ１（チェンジキー）を差し込んだ状態を示す図１の（Ｂ）のＡ−ａ−ｂ−Ａ´断面図である。（Ｂ）は図３の（Ａ）のＸ１−Ｘ１´断面図である。（Ｃ）は図３の（Ａ）のＸ２−Ｘ２´断面図である。
【図４】図３の（Ｃ）で内筒を少し反時計方向に回動した場合の一部拡大図である。
【図５−１】（Ａ）は図１の（Ｂ）のリセット状態で、キー穴に、キー（チェンジキー）Ｋ１を差し込み、キーによって内筒を一定角度αだけ（セット状態位置まで）反時計方向に回動させたセット状態を示す図１の（Ａ）のＡ−ａ−ｂ−Ａ´断面図である。（Ｂ）は図５−１の（Ａ）のＸ１−Ｘ１´断面図である。
【図５−２】（Ｃ）は図５−１の（Ａ）のＸ２−Ｘ２´断面図である。（Ｄ）は図５−１の（Ａ）においてキーをキー穴から抜き取ってセット状態とした断面図である。
【図６】（Ａ）は図５−１の（Ａ）のセット状態を示す図１の（Ａ）のＢ−Ｂ´断面図、（Ｂ）は図６の（Ａ）のＹ１−Ｙ１´断面図、（Ｃ）は図６の（Ａ）のＹ２−Ｙ２´断面図である。
【図７】（Ａ）は図５−１の（Ａ）のセット状態を示す図１のＣ−Ｃ´断面図、（Ｂ）は図７の（Ａ）のＺ１−Ｚ１´断面図、（Ｃ）は図７（Ａ）のＺ２−Ｚ２´断面図である。
【図８】（Ａ）は図５−２の（Ｄ）の如く、キーＫ１にセットした後に、キー穴へ別のキーＫ２を差し込んだ状態を示す図１の（Ａ）のＡ−ａ−ｂ−Ａ´断面図である。    （Ｂ）は図８の（Ａ）のＸ１−Ｘ１´断面図である。（Ｃ）は図８の（Ａ）のＸ２−Ｘ２´断面図である。
【図９】本発明の実施例２のシリンダー錠に使用されるキーＫ１を示し、（Ａ）は平面図、（Ｂ）は正面図である。
【図１０】リセットキーＲＫ１を示し、（Ａ）は平面図、（Ｂ）は正面図である。
【図１１】本発明の実施例２のクラッチ機構を設けたシリンダー錠がキーＫ１用にセットされた状態で、キーＫ１を挿入した状態の図１の（Ａ）のＡ−Ａ´における要部断面図である。
【図１２】クラッチ機構を構成する部材を示し、（Ａ），（Ｂ）はカム５０の斜視図と側面図、（Ｃ），（Ｄ）はクラッチ板４０の斜視図と側面図、（Ｅ），（Ｆ）は座金３０の斜視図と側面図である。
【図１３】図１１のキーＫ１にセットされた状態でキーＫ１を抜き、リセットキーＲＫ１を挿入した状態の要部断面図である。
【図１４】第１の従来例の第１のキー１１０にセットした状態を示す断面図である。
【図１５】第１の従来例の第１のキー１１０をリセット状態位置に回動した状態を示す断面図である。
【図１６】第１の従来例の図１５の状態で、新たな第２のキー１２０を差し込んだ状態を示す断面図である。
【図１７】第１の従来例で、新たな第２のキー１２０を合鍵として設定した状態を示す断面図である。
【図１８】図１６の一部拡大図である。
【図１９】第２の従来例の要部を示す一部拡大図である。
【実施例１】
【００３８】
本発明の実施例１のシリンダー錠を図１〜図８に基づいて以下に説明する。
【００３９】
図において、１は本発明のシリンダー錠であって、このシリンダー錠１は、その長手方向に複数の上ピン孔Ａ１，・・・，Ａ１からなる第１の上ピン孔群Ａと、上ピン孔Ｂ１，・・・，Ｂ１からなる第２の上ピン孔群Ｂと、上ピン孔Ｃ１，・・・，Ｃ１からなる第３の上ピン孔群Ｃとを有する外筒２と、該外筒２に回動自在に嵌挿されるとともに、キー穴３を貫通し外筒２の複数の上ピン孔Ａ１，・・・，Ａ１，Ｂ１，・・・，Ｂ１，Ｃ１，・・・，Ｃ１とそれぞれ対応する複数の下ピン孔４Ａ，・・・，４Ａ，４Ｂ，・・・，４Ｂ，４Ｃ，・・・，４Ｃを有する内筒４とを備え、前記外筒２の上ピン孔Ａ１，・・・，Ａ１，Ｂ１，・・・，Ｂ１，Ｃ１，・・・，Ｃ１に挿入されてバネ５により内筒４方向に付勢された上ピン６と、内筒４を時計方向に一定角度α回動した場合に、内筒の下ピン孔と対向する位置に複数の補助ポケットを設け、該補助ポケット内には補助ピンと補助上ピンとバネとを設け、内筒４の下ピン孔４Ａ，４Ｂ，４Ｃに挿入された下ピン７との間に補助ピン８を介在させたり、又は除去したりしてキーの解錠条件を変更するように構成している。
【００４０】
第１〜第３の上ピン孔群Ａ，Ｂ，Ｃは、それぞれ外筒２の外周に対して互いに９０度の角度で変位した位置に形成されている。そして、第１〜第３の上ピン孔群Ａ，Ｂ，Ｃには、外筒２の長手方向に所定間隔を隔てて８個の上ピン孔Ａ１，Ｂ１，Ｃ１が設けられている。この実施例では、外筒２の長手方向に８個の上ピン孔を形成する構成としたが、この数に限定はされないし、第１〜第３の上ピン孔群Ａ，Ｂ，Ｃのぞれぞれの上ピン孔の数が後述する補助ポケット群Ａ´，Ｂ´，Ｃ´の補助ポケット９の数と一致していれば良い。
【００４１】
第１の上ピン孔群Ａと第２の上ピン孔群Ｂ、第３の上ピン孔群Ｃのそれぞれの位置を基準として、前記キー穴３にキー（Ｋ）を挿入して前記内筒４を時計方向に一定角度α回動した場合に、内筒４の下ピン孔４Ａ，・・・，４Ａ，４Ｂ，・・・，４Ｂ，４Ｃ，・・・，４Ｃとそれぞれ対向する位置に第１の補助ポケット群Ａ´，第２の補助ポケット群Ｂ´，第３の補助ポケット群Ｃ´を配置している。
【００４２】
この第１の補助ポケット群Ａ´，第２の補助ポケット群Ｂ´，第３の補助ポケット群Ｃ´のそれぞれには、それと対向する第１の上ピン孔群Ａ，第２の上ピン孔群Ｂ，第３の上ピン孔群Ｃの上ピン孔Ａ１，・・・，Ａ１，Ｂ１，・・・，Ｂ１，Ｃ１，・・・，Ｃ１と同数の補助ポケット９・・・，９を設けている。この実施例では、前述した一定角度αを約１５５度に設定している。この角度に本発明は限定されるものではない。しかしながら、後述するセット状態とリセット状態とが外部から一見して視認容易であることや、又、第２実施例の如く通常のキー(合鍵）では回動することができない一定角度αに設定されることが好ましい。
【００４３】
図示する実施例では、前記補助ポケット９，・・・，９の全てには、天井１５との間に介在したバネ１０によって内筒４方向に付勢した補助上ピン１１と、この補助上ピン１１と内筒４との間に補助ピン８を設けている。この補助ピン８は、図４に示すように、円柱状の補助上ピン１１と接する頭部を平坦面とし、内筒４側の底部を台形のテーパー部８Ａとする凸部８Ｂを形成している。また、下ピン７の外筒２側の上端部にはテーパー部７Ａを有する凹部７Ｂを形成し、この凹部７Ｂに、リセット状態位置では補助ピン８の凸部８Ｂが係脱自在に係合されるようにしてある。この補助ピン８の凸部８Ｂと下ピン７の凹部７Ｂとが係合機構を形成している。そして、前記係合機構（８Ｂ、７Ｂ）により下ピン７に係合した補助ピン８は、内筒４の下ピン孔４Ａ、４Ｂ、４Ｃが補助ポケット９に対向する内筒４の回動位置（リセット状態位置）においては、補助ポケットの長さＵ１を補助ピン８が移動可能な長さに設けることにより合鍵による内筒４の回動操作で前記係合機構（８Ｂ、７Ｂ）の作用により下ピン７と補助ピン８との係合が解除できるようにしてあるとともに、内筒４の下ピン孔４Ａ、４Ｂ、４Ｃが上ピン孔Ａ１、Ｂ１、Ｃ１に対向する内筒４の回動位置（セット状態位置）においては、内筒４の下ピン孔側に移動された補助ピン８は、合鍵と異なるキーによる内筒４の回動操作では上ピン孔Ａ１、Ｂ１、Ｃ１の長さＵ２を補助ピン８が移動不可能な長さに設けてあることにより、補助ピン８は下ピン７との係合が解除できないように構成してある。
【００４４】
ここで、リセット状態位置において「補助ポケットの長さＵ１を補助ピン８が移動可能な長さにする」とは、補助ポケットの長さＵ１を補助ピン８と補助上ピン１１とが移動できる長さにすることである。
また、セット状態位置において「上ピン孔の長さＵ２を補助ピン８が移動不可能な長さに設ける」とは、合鍵と異なるキーによる内筒４の回動操作では、補助ピン８は、下ピン７との係合機構（補助ピン８の凸部８Ｂと下ピン７の凹部７Ｂ）により下ピン７と係合したままで係合が解除できず内筒４を回動できないことを意味する。この上ピン孔の長さＵ２を補助ピン８が移動不可能な長さにする方法としては、実施例１の図１〜図８に示しているように、従来のものと同様に高くして上ピン６の長さを長くする方法、または図示していないが上ピン孔Ａ１、Ｂ１、Ｃ１を閉塞する天井１５を従来のものより低くする方法を採用するとよい。
【００４５】
しかも、円柱状の補助上ピン１１の径が下ピンや上ピン及び補助上ピンの径と等しく、円筒状の孔である補助ポケット９の内径と略同一の寸法としており、補助ピン８の外周が補助ポケット９の内周に周接しつつ摺動するようにしているので、ピンは全て同じ材料から加工することができると共に補助ポケット孔も、下ピン孔や上ピン孔の加工用の同じドリルで加工できる。しかも補助ポケット９内で補助ピン８が転覆するなどの恐れがない。
【００４６】
（リセット状態からセット状態へ）
この実施例のシリンダー錠１では、工場から出荷時の初期状態では、図１の（Ｂ）のリセット状態とされる運用が好ましく、最初に使用されるキーＫ１をこのリセット状態のキー穴に挿入し、セット状態まで回動してキーＫ１を抜き取ることにより、シリンダー錠はキーＫ１にセットされる。次に現在使用しているキーＫ１から新しいキーＫ２を合鍵としてセットする場合、キーＫ１でリセット状態まで回動し、そのリセット状態でキーＫ１を抜き取る。次に、新しいキーＫ２を差し込み、セット状態に回動し（元の位置に戻し）、キーＫ２を抜き取ることにより、新しいキーＫ２にセットすることができる。また、この実施例では、補助ポケット群を第１〜第３の補助ポケット群Ａ´，Ｂ´，Ｃ´の３箇所で設ける構成としたが、１箇所だけに補助ポケット群を設ける構成としても良いし、３箇所以上に設けることも可能である。また、一つの補助ポケット群に対する補助ポケット９の数をこの実施例では、８個としているが、これを増減させることも任意である。しかしながら、補助ポケット９の数を減らすことで、新しいキーＫに変更できる種類の数（鍵違いの数）が減少するので、鍵違いの数を増やすためには補助ポケットの数を増やすことが好ましい。さらに、補助ポケットの全てに補助ピンを介在させてもよく、任意の箇所に介在させてもよい。なお、鍵違いの数を増やすためには本実施例の如く補助ポケットの全てに補助ピンを介在すればよい。
なお、このリセット状態では予め設定したキー（Ｋ１，Ｋ２，・・・，ＫＮ）は全て回動可能であり、セット状態に戻してキーを抜くことにより、全てのどのキーにでもセットすることができる。
【００４７】
図３は、リセット状態において合鍵としてセットするキーＫ１を挿入した状態を示すもので、合鍵としてセットされるキーＫ１には、内筒４に挿入される平板状の挿入部の上側ＫＵ及び下側ＫＤに、鍵山である山部ＫＡと谷部ＫＢが上下対称に設けられている。鍵山が上下対称に設けられているのは、キーＫ１を上下逆に挿入しても操作できるようにしているからである。
そして、上側ＫＵ（又は下側ＫＤ）の鍵山は、図１の（Ａ）のセット状態で挿入した時は、図５の（Ａ）の如く第１の上ピン孔群Ａと対向する。なお、キーＫ１を図１の（Ｂ）のリセット状態で挿入した時は、図３の（Ａ）の如く下側ＫＤ(又は上側ＫＵ）の鍵山が第１の補助ピン及び補助上ピン群Ａ´に対向する。
【００４８】
また、図６、図７に示すように、キーＫ１の挿入部の右側ＫＲに設けた鍵山である山部ＫＡと谷部ＫＢは、第２の上ピン孔群Ｂに対向し、左側ＫＬに設けた鍵山である山部ＫＡと谷部ＫＢは、第３の上ピン孔群Ｃに対向する。
図６の（Ｂ），（Ｃ）に示されるように、キーＫ１の右側ＫＲに設けた鍵山（谷部ＫＢや山部ＫＡ）は、１８０°回転対称位置であるキーＫ１の左側ＫＬの部分にも設けられており、同様に図７の（Ｂ），（Ｃ）に示されるように、キーＫ１の左側ＫＬに設けた鍵山は、１８０°回転対称位置であるキーＫ１の右側ＫＲの部分にも設けられている。従って、キーＫ１は、上下（または左右）逆向きに挿入しても操作可能である。
なお、図１の（Ｂ）のリセット状態でキーＫ１を挿入した時も上記と同様に、キーＫ１の挿入部の右側ＫＲの鍵山（谷部ＫＢや山部ＫＡ）は第２の補助ポケット群Ｂ´に対向し、左側ＫＬの鍵山（谷部ＫＢや山部ＫＡ）は第３の補助ポケット群Ｃ´に対向するように設けられている。
また、図９の（Ａ）はキーＫ１の平面図、（Ｂ）はその正面図を示すもので、上側ＫＵに４ヶ所皿穴が形成されこれが鍵山の谷部ＫＢであり、山部ＫＡは皿穴が形成されていない平面部である。そして、図３の（Ａ），（Ｂ），（Ｃ）に示すように、谷部ＫＢと対向する部分では下ピン７がバネ１０の付勢により谷部ＫＢに落ち込み、補助ピン８と補助上ピン１１との境界線ＦがシャーラインＳＬと一致し、内筒４は回動可能となる。
【００４９】
なお、キーＫ１の平面図の中央より少し前の部分には４ヶ所の皿穴（谷部ＫＢ）が形成されており、これがキーＫ１の上側ＫＵに設けられた鍵山である。そして、この上側の鍵山（４ヶ所の谷部）はキーＫ２の下側ＫＤの１８０°回転対称位置にも形成される。
なお、キーＫ１の正面図の中央より少し下の部分に５ヶ所の鍵山（谷部ＫＢ）が形成されているが、これはキーＫ１の右側ＫＲの中央より少し上部に設けられた右側の鍵山（谷部ＫＢ）の１８０°回転対称位置に設けられている鍵山である。
従って、キ−Ｋ１を逆向きに挿入した場合でも、上側の上ピン孔群ＡにはキーＫ１の下側の鍵山が対向し、中央より少し上の部分にある右側の上ピン群Ｂには、キーＫ１の左側ＫＬの鍵山が対向し、左側の上ピン孔群ＣにはキーＫ１の右側ＫＲの鍵山が対向することとなり、キーＫ１の操作が可能である。  
【００５０】
一方、山部ＫＡと対向する部分では、下ピン７と補助ピンとの境界線ＧがシャーラインＳＬと一致する。とろこで、境界線Ｇは補助ピン８の凸部８ＢがシャーラインＳＬを跨いで突出して、下ピン７の凹部７Ｂに係合し、内筒４の回動は阻止された状態となっているが、キーにより内筒に回動力を与えると、図４に示すように下ピンの凹部７Ｂのテーパー部７Ａと補助ピン８の凸部８Ｂのテーパー部８Ａの作用により、バネ１０の付勢力に打ち勝って補助ピン８が外筒２の補助ポケット９内に移動し補助ピンと下ピンとの係合が解除され、下ピン７と補助ピン８との境界線ＧがシャーラインＳＬと完全に一致し、内筒が回動可能となる。
【００５１】
なお、補助ピン８が補助ポケット９内に移動し得るのは、図３の（Ｃ）に示すように補助ポケット９の長さ（深さ）Ｕ１と、補助ピン８の長さＴおよび補助上ピン１１の長さＳとの関係を、Ｕ１＞Ｔ＋Ｓとなるようにしてあるからである。
そして、補助ポケット群Ａ´，Ｂ´，Ｃ´の全ての補助ポケット９の長さ（深さ）は上記のように設けてあり、補助ポケット群Ａ´，Ｂ´，Ｃ´に対向する位置（リセット状態）では全ての補助ピン８は補助ポケット９内に移動可能である。
即ち、リセット状態では、このシリンダー錠１に設定したキー（チェンジキー）Ｋ１〜ＫＮの全てで内筒４の回動が可能となるのである。
【００５２】
次に、図３のリセット状態からキーＫ１を一定角度αだけ反時計方向に（セット状態に）回動した状態が図５の（Ａ），（Ｂ），（Ｃ）であり、鍵山の谷部ＫＢに対向する部分では、補助ピン８が下ピン７と上ピン６との間に介在している。一方、山部ＫＡに対向する部分では、下ピン７と上ピン６との間に補助ピン８は介在せず、補助ピン８は第１の補助ポケット群Ａ´の補助ポケット９に残っている。
なお、図５の（Ｄ）は、このセット状態でキーＫ１を抜いた状態であり、シリンダー錠１はキーＫ１にセットされたことになる。
【００５３】
リセット状態からセット状態への上記の動作説明は、キーの上側ＫＵに設けた鍵山とそれに対向する上ピン孔群Ａおよび補助ポケット群Ａ´での上ピン、下ピン、補助ピンおよび補助上ピンとの関係や動作について説明したものであるが、キーの右側ＫＲと左側ＫＬに設けた鍵山についても上記と同様である。
【００５４】
即ち、図６はキーＫ１にセットした状態でのキーＫ１の右側ＫＲの鍵山（谷部ＫＢと山部ＫＡ）とそれに対向する上ピン孔群Ｂとの関係を示すもので、図６の（Ａ）は図１の（Ａ）のＢ−Ｂ´断面図、図６の（Ｂ）は図６の（Ａ）のＹ１−Ｙ１´断面図、図６の（Ｃ）は図６の（Ａ）のＹ２−Ｙ２´断面図である。この図からも明らかなように、鍵山の谷部ＫＢに対向する部分では、下ピン７と補助ピン８が内筒４内に収納され、補助ピン８と上ピン６との境界がシャーラインＳＬに一致し、山部ＫＡに対向する部分では、下ピン７と上ピン６との境界がシャーラインＳＬに一致するので、内筒４は回動可能である。つまりキー操作が可能である。
【００５５】
同様に、図７はキーＫ１にセットした状態でのキーＫ１の左側ＫＬの鍵山とそれに対向する上ピン孔群Ｃとの関係を示すもので、図７の（Ａ）は図１の（Ａ）のＣ−Ｃ´断面図、図７の（Ｂ）は図７の（Ａ）のＺ１−Ｚ１´断面図、図７の（Ｃ）は図７の（Ａ）のＺ２−Ｚ２´断面図である。そして、キーＫ１の左側ＫＬの鍵山の山部ＫＡに対向する部分では下ピン７と上ピン６との境界がシャーラインＳＬに一致し、谷部ＫＢに対向する部分では下ピン７と補助ピン８とが内筒４内に収納され、補助ピン８と上ピン６との境界がシャーラインＳＬに一致するので、内筒４は回動可能である。つまり、キー操作が可能である。
【００５６】
なお、キーＫ１をセット状態から一定角度αだけ回動したリセット状態（又は、リセット状態でキーＫ１を挿入した状態）で、キーＫ１の右側ＫＲおよび左側ＫＬの鍵山(谷部ＫＢと山部ＫＡ）と、それに対向する補助ポケット群Ｂ´とＣ´での下ピン７と補助ピン８および補助上ピン１１との関係は、前記のキーＫ１の上側ＫＵの鍵山の場合と同じであるので、図示も説明も省略する。
また、前記の通りキーＫ１の上側ＫＵと下側ＫＤの鍵山と、右側ＫＲと左側ＫＬの鍵山はそれぞれ１８０°回転対称位置に設けてあるので、このキーＫ１は逆向きに挿入しても内筒４の回動が可能である。つまり、キー操作が可能である。
【００５７】
（キーＫ１にセットされた状態で合鍵でない別のキーＫ２を挿入した場合）
図５の（Ｄ）のキーＫ１にセットされた状態で別のキーＫ２をキー穴３に挿入した状態を示すのが図８である。図８の（Ａ）は図１の（Ａ）のＡ−ａ−ｂ−Ａ´断面図、（Ｂ）は図８の（Ａ）のＸ１−Ｘ１´断面図、（Ｃ）は図８の（Ａ）のＸ２−Ｘ２´断面図である。  
【００５８】
セットされたキーＫ１と別のキーＫ２とは、Ｘ１−Ｘ１´とＸ２−Ｘ２´部位でキーの鍵山の形状が異なる。具体的には、図５−１の（Ａ），（Ｂ）と図８の（Ａ），（Ｂ）を対比すれば明らかなように、図５−１の（Ａ）のＸ１−Ｘ１´部位でキーＫ１は谷部ＫＢとなっているが、図８の（Ａ）のキーＫ２は山部ＫＡとなっており、図５−１の（Ａ）のＸ２−Ｘ２´部位でキーＫ１は山部ＫＡとなっているが、図８の（Ａ）のキーＫ２は谷部ＫＢとなっている。この２つの部位でキーの鍵山形状が異なることから、キーＫ２をキー穴３に挿入してキーを回そうとしても、回すことができない。
【００５９】
すなわち、図８の（Ａ），（Ｂ）に示すようにセットされていない別のキーＫ２のＸ１−Ｘ１´部位では、補助ピン８は外筒２の上ピン孔Ａ１内に収納されその凸部８Ｂが下ピン７の凹部７Ｂに係合し、凸部８Ｂのテーパー部８ＡがシャーラインＳＬを跨いだ状態となっており、キーＫ２による内筒の回動力により補助ピン８のテーパー部８Ａと下ピン７の凹部のテーパー部７Ａの作用により、補助ピン８は上ピン孔Ａ１に移動しようとする（補助ピンと下ピンとの係合が解除されようとする）が、上ピン孔Ａ１の長さ（深さ）Ｕ２は、補助ピン８の長さＴと上ピン６の長さＳ１との関係がＵ２＜Ｔ＋Ｓ１となるように設けられているので、上ピン６の上端が天井１５に当接した状態となっており、キーＫ２に大きい回動力を加えても補助ピン８は上ピン孔Ａ１側に移動し得ず（補助ピンと下ピンとの係合は解除されず）キーＫ２では内筒４は回動できない。即ち、キーＫ２の操作は不可能である。
また、図８の（Ａ），（Ｃ）に示すようにキーＫ２のＸ２−Ｘ２´部位では、補助ピン８は介在しておらず、上ピン６の一部が内筒２の下ピン孔４Ａに入り込んで上ピン６がシャーラインＳＬを跨いだ状態となっており、内筒２は回動できない。即ち、キーＫ１にセットされたシリンダー錠１を別のキーＫ２で操作することは不可能である。
なお、他の別のキーＫ３，・・・，ＫＮでも、鍵山形状がキーＫ１と異なるので操作することは不可能である。
【００６０】
（クラッチ機構）
上記に説明した実施例１では、セットされたキー(例えばＫ１）は、３６０°回動可能であるので、キーＫ１をリセット位置まで回動して、その位置でキーを抜く事態が起り得る。そして、そのリセット位置で誤まって例えば別のキーＫ２を挿入してセット状態に回動してキーＫ２を抜くと、シリンダー錠１がキーＫ２にセットされてしまい、キーＫ１の使用ができないという不都合が生じる恐れがあった。
そこで、実施例２のシリンダー錠ではクラッチ機構を設け、通常使用するキー(Ｋ１，Ｋ２，・・・，ＫＮ）ではリセット位置まで回動できないようにし、リセット位置まで回動して新しいキーにセットするためには必ず特定のリセットキーを要するようにしたものである。従って、誤ってリセットされ新しいキーにセットされるという不都合を解消できる。
【実施例２】
【００６１】
図９ないし図１３は本発明の実施例２を示すもので、図９は、本実施例２のシリンダー錠１に使用されるキーＫ１を示し、（Ａ）は平面図で、（Ｂ）はその正面図である。
なお、このキーＫ１は前記の実施例１のシリンダー錠１で使用するキーＫ１と全く同じキーであるが、後述するようにこのキーＫ１ではクラッチ機構を解除できないので、リセット位置（即ち一定角度α）まで回動できない。
【００６２】
図１０は、リセットキーＲＫ１を示し、（Ａ）は平面図で、（Ｂ）はその正面図である。このリセットキーＲＫ１は、キーＫ１と全く同じ鍵山が形成されており、異なる部分はその長さＬ２がキーＫ１の長さＬ１より長く設けられ、その先端部に後述のクラッチ機構を解除させる切欠ＲＫＡが形成されている点である。そして、後述するようにこのリセットキーＲＫ１では、クラッチ機構を解除することができ、リセット位置まで回動できる。
【００６３】
図１１は、本実施例２のシリンダー錠１がキーＫ１用にセットされた状態で、キーＫ１を挿入した状態の図１の（Ａ）のＡ−ａ−ｂ−Ａ´における要部断面図である。キーＫ１の鍵山(谷部ＫＢと山部ＫＡ）に対向する下ピン７や補助ピン８および上ピン６などの関係は、前述した実施例１と同じであり、キーＫ１で内筒４の回動が可能な状態である。
【００６４】
図１２は、クラッチ機構２０を構成する部材を示し、（Ａ），（Ｂ）はカム５０の斜視図と側面図、（Ｃ），（Ｄ）はクラッチ板４０の斜視図と側面図、（Ｅ），（Ｆ）は座金３０の斜視図と側面図である。そして、図１１に示されるように、円板状の座金３０は内筒４の後端に皿穴３２，３２を介してネジ（図示せず）により固定されている。また、円板状のクラッチ板４０が座金３０とカム５０との間に、外筒２の後端に設けた空間部２Ａ内で外筒２および内筒４の軸方向の前後に摺動可能に設けられ、カム５０とクラッチ板４０との間に設けたバネ５４により常に座金３０に当接するように付勢されている。
なお、座金３０にはピン３１，３１が突設されており、クラッチ板４０にはこのピン３１が係合する穴４２，４２が設けられ、常に図１１に示されるように、座金３０のピン３１，３１がクラッチ板４０の穴４２，４２に係合している連係状態にある。
従って、図１１の状態（クラッチ機構２０の連係状態）では、内筒４の回動により、座金３０のピン３１，３１を介してクラッチ板４０も一体に回動する。
【００６５】
一方、クラッチ板４０にはピン４１，４１が突設されており、その先端がカム５０に設けた係合穴５２，５２に常に係合している。従って、図１１の状態では、キーＫ１により内筒４を回動すると、座金３０のピン３１を介してクラッチ板４０が回動し、クラッチ板４０のピン４１を介してカム５０も一体に回動される。  なお、カム５０のカム片５１の先端は、シリンダー錠１の後端部を覆うようにして取り付けられた椀状のカバー７０の中央部に設けた穴７１からカバー７０の外に突出し、扉Ｄに取り付けた錠Ｍの施錠部材（図示せず）を作動させるハブ６０の係合穴６０Ａに係合しており、キーＫ１による内筒４の回動によりハブ６０を回動させて錠Ｍの施錠、解錠操作を行う。その他、図中８０は、シリンダー錠１を収納するケースであり、扉への取り付け方法は周知の構成であるので図示しないが、ケース８０に固設された２本の取付柱を扉に貫通させて室内側に望ませ、室内側からサムターン等の座からネジを取付柱に設けられたネジ穴にねじ込んで扉に取り付け固定される。なお、前記のカバー７０はネジ７２，７２でケース８０の後端部に固着されている。
【００６６】
なお、カム５０はその円板５５の外周部が外筒２の後端部に設けた空間部２Ａの内周部にガイドされて回動するように設けられると共に、外筒２の空間部２Ａに設けた段部２Ａ１とカバー７０とにより、前後方向の移動が規制されて保持されている。
【００６７】
（キーＫ１による操作）
ところで、キーＫ１による錠Ｍの施錠、解錠操作は通常の施錠、解錠操作と同じであり、キーＫ１を時計（反時計）方向に９０°回してハブ６０を回動させて施錠し、９０°戻してキーＫ１を抜く。また、キーＫ１を反時計（時計）方向に９０°回して解錠し９０°戻してキーＫ１を抜く操作となる。
なお、時計（反時計）方向に９０°回して施錠または解錠した時、ハブ６０はそれ以上回らないように構成されている。即ち、キーＫ１では図１の（Ａ）のセット状態から時計方向および反時計方向に９０°しか回すことができないので、セット状態から時計方向に１５５°の一定角度で設けられているリセット位置までは回せないのである。
ところで、図示しないがカム５０のカム片５１とハブ６０の係合穴６０Ａとの係合関係は、９０°の遊びを設けてあり、９０°キーを戻す時ハブは不動であり施錠および解錠状態が保持される周知の構造である。
【００６８】
（リセットキーＲＫ１による操作）  
次に、図１３は図１１のキーＫ１にセットされた状態でキーＫ１を抜き、リセットキーＲＫ１を挿入した状態を示す。
リセットキーＲＫ１の鍵山は前記の通りキーＫ１と全く同じに形成してあるので、鍵山
とピン群との動作はキーＫ１と同じであり、リセットキーＲＫ１によっても内筒は回動可能である。
ところで、リセットキーＲＫ１はキーＫ１より長く設けてあり、挿入した時その先端部がクラッチ板４０の凸部４３を押して、クラッチ板４０をバネ５４の付勢力に抗してカム５０の方向に押し込む。そうすると、クラッチ板４０の穴４２，４２と座金３０のピン３１，３１との係合が解除され、クラッチ機構２０は非連係状態となるので、座金３０の回動は規制されなくなり、内筒は３６０°自由に回動可能となる。従って、リセットキーＲＫ１では、リセット位置まで回動することができる。
【００６９】
なお、リセットキーＲＫ１の先端に設けられた切欠ＲＫＡは、リセットキーＲＫ１を挿入した時に座金３０に当接することなく、クラッチ板４０を押し込むことができるようにした逃げのための切欠である。一方、座金３０には穴３３，３４が形成してあり、リセットキーＲＫ１の先端部が係入し、クラッチ板４０を押し込むようにしてある。
【００７０】
従って、現在使用しているキーＫ１を新しいキーＫ２にチェンジするには、キーＫ１に対応するリセットキーＲＫ１によりリセット位置まで内筒を回動してリセットキーＲＫ１を抜き取り、そのリセット状態で別のキーＫ２を挿入し、セット位置に戻してキーＫ２を抜き取れば、シリンダー錠１はキーＫ２にセットされたことになり、キーＫ２のみの操作が可能で元のキーＫ１の操作は不可能となる。
（このキーチェンジ方法は、リセットキーＲＫ１によりクラッチ機構を解除する以外、鍵山と下ピンや補助ピンおよび上ピン等の関係や動作は実施例１と全く同じである。）
【００７１】
なお、この実施例２では使用するキーに対応するリセットキーを必ず用意することが必要があり、２Ｎ通りの鍵違いのキーを設ければ同じ数の２Ｎ通りのリセットキーを用意することが必要である。
【００７２】
以上の通り、実施例２では、例えば住人が使用するキー（Ｋ１，Ｋ２，・・・，ＫＮ）では内筒をリセット位置まで回すことができないので、誤ってリセットされ、意思に反して新しいキーにセットされてしまうという不都合が起きる恐れが全くなくなる。
なお、使用するキーに対応するリセットキーは管理人が管理し、住人の転出入等によるキーチェンジが必要となった都度管理人がリセットキーを用いてリセットし、新しいキーにキーチェンジを行うようにする運用が好ましい。
【符号の説明】
【００７３】
１                  シリンダー錠
２                  外筒
３                  キー穴
４                  内筒
４Ａ、４Ｂ、４Ｃ    下ピン孔
５                  バネ
６                  上ピン
７                  下ピン
７Ａ                テーパー部
７Ｂ                凹部
８                  補助ピン
８Ａ                テーパー部
８Ｂ                凸部
９                  補助ポケット
１０                バネ
１１                補助上ピン
１５                天井
２０                クラッチ機構
３０                座金
４０                クラッチ板
５０                カム
６０                ハブ
６０Ａ              係合穴
７０                カバー
８０                ケース
Ａ                  第１の上ピン孔群
Ａ１                第１の上ピン孔
Ａ´                第１の補助ポケット群
Ｂ                  第２の上ピン孔群
Ｂ１                第２の上ピン孔
Ｂ´                第２の補助ポケット群
Ｃ                  第３の上ピン孔群
Ｃ１                第３の上ピン孔
Ｃ´                第３の補助ポケット群
Ｋ１                キー
Ｋ２                別のキー
ＲＫ１              リセットキー
Ｄ                  扉
α                  一定角度
Ｍ                  錠
ＳＬ                シャーライン
【図１】
0005437731.tif 000002
【図２−１】
0005437731.tif 000003
【図２−２】
0005437731.tif 000004
【図２−３】
0005437731.tif 000005
【図３】
0005437731.tif 000006
【図４】
0005437731.tif 000007
【図５−１】
0005437731.tif 000008
【図５−２】
0005437731.tif 000009
【図６】
0005437731.tif 000010
【図７】
0005437731.tif 000011
【図８】
0005437731.tif 000012
【図９】
0005437731.tif 000013
【図１０】
0005437731.tif 000014
【図１１】
0005437731.tif 000015
【図１２】
0005437731.tif 000016
【図１３】
0005437731.tif 000017
【図１４】
0005437731.tif 000018
【図１５】
0005437731.tif 000019
【図１６】
0005437731.tif 000020
【図１７】
0005437731.tif 000021
【図１８】
0005437731.tif 000022
【図１９】
0005437731.tif 000023